(57)【特許請求の範囲】
【請求項１】
下部磁気回路板であるヨークと、該ヨークに固定した磁石と、該磁石に固定した上部磁気回路板であるトッププレートとから成る磁気回路部を固定したフレームに、コイルを固定した振動板と前記コイルの端末を接続した端子とを固定した電気−機械振動変換器において、前記端子はコの字型の断面を有しており、前記端子の両脚部を前記フレームに形成したスリットに挿入して、突出した前記脚部を折り曲げたことを特徴とする電気−機械振動変換器。
【請求項２】
前記端子の折り曲げた前記脚部に前記コイル端末を接合したことを特徴とする請求項１記載の電気−機械振動変換器。
【請求項３】
前記端子の前記脚部が突出する側の前記スリット間の前記フレームは中低に形成されていることを特徴とする請求項１または請求項２記載の電気−機械振動変換器。
【発明の詳細な説明】
【０００１】
【発明の属する技術分野】
本発明は、電気−機械振動変換器に関し、更に詳しくはその端子構造に関する。
【０００２】
【従来の技術】
従来、小型のスピーカ、多機能型発音体、振動子などの電気−機械振動変換器は、携帯電話、ＰＤＡ、ページャ、小型ゲーム機などの小型携帯端末等に広く適用されている。このような電気−機械振動変換器は、以上の小型携帯端末の回路基板への高密度実装に適するように、他の電子部品と同様に小型チップ化されて、回路基板の片面だけで半田付けできる表面実装型のものが出現している。
【０００３】
こうした電気−機械振動変換器の一例として、スピーカを取り上げて説明する。図５は従来の動電型スピーカの平面図であり、図６は図５のＢ−Ｂ断面を示す断面図である。図５、図６を参照して、まず、この動電型スピーカの構成について説明する。５０は動電型スピーカである。５１は外周の一部に延出部５１ａを持つ環状の樹脂成形フレームであり、中央穴５１ｂと外周段部５１ｃとの間に複数の抜き穴が形成されている。５２は中央穴５１ｂに固定された磁性体から成る皿形の下部磁気回路板としてのヨークである。
【０００４】
５３はヨーク５２の底面中央に固定され上下に磁極を持つ円盤形の永久磁石であり、５４は永久磁石５３の磁極面に固定された円板型の上部磁気回路板としてのトッププレートである。ヨーク５２、磁石５３及びトッププレート５４で磁気回路部が構成され、永久磁石５３により、ヨーク５２上端部とトッププレート５４周縁部との間の間隙を通って磁気回路が形成されている。
【０００５】
５５はプラスチック材料で一体成形された略球面状の振動板であって、断面は周辺部寄りの平坦部５５ａでくびれた湾曲形状を成している。その周縁部５５ｂは平面を成し、フレーム５１の外周段部５１ｃに接着固定されている。５６は絶縁被覆された銅線であるコイル巻線を断面長方形に整列巻きし塗料で固めた環状の空芯コイルであるボイスコイルであり、その上面は振動板５５の平坦部５５ａ下面に接着固定されている。ボイスコイル５６はトッププレート５４周縁部とヨーク５２上端部との間の間隙にコイル丈の略半分の深さに嵌入している。
【０００６】
５７はフレーム５１にインサートモールドで埋設されたボイスコイル５６の巻き線端末と外部接続端子とを接続するための一対のリードフレームであり、その一端が外周段部５１ｃの裏側で露出して端部５７ａを成し、他端はフレーム５１の延出部５１ａに形成された一対の挿入孔５１ｄ内に露出した端部５７ｂを経由して延出部５１ａ側面に露出している。ボイスコイル５６の巻き線端末は端部５７ａの裏側において半田付けされている。５８は挿入孔５１ｄに挿入された外部接続端子としての圧縮コイルバネであり、上端が端部５７ｂに半田付けされている。スピーカ５０を電子機器の回路基板へ搭載する際には、コイルバネ５８が圧縮されて、下端が回路基板の配線パターン上に接触し導通が取られる。５９は放音孔を持つカバーであり、外周段部５１ｃに固定されている。
【０００７】
次に、従来の電気−機械振動変換器における他の端子構造を示す。図７は導電型スピーカの要部平面図であり、図８は、図７のＣ−Ｃ断面を示す要部断面図である。６０は、スピーカ５０とほぼ同様の構成を有するスピーカである。６１は、延出部６１ａを有する環状のフレームである。延出部６１ａの基部近傍の上下面には、Ｖ溝６１ｂが形成されている。７１はリン青銅の帯板から成るクリップ型の端子であり、中央で折り重ねたつまみ部７１ａと、各々３回の直角曲げを経た両先端部に鈎部７１ｂを有する。２回目は９０度以上曲げることによって、バネ性をもって延出部６１ｂに圧着するようにしてあり、鈎部７１ｂはＶ溝６１ｂと係合する。両端子７１は、延出部６１ａ中央の段差によって互いに分離されており、コイル端末が半田接合されている。
【０００８】
【発明が解決しようとする課題】
しかしながら、従来のインサート成形方式の端子では、成形に時間がかかったり、また、接着端子が剥離するという問題が発生していた。更に、端子部分のメッキでは、リードフレーム又はインサート成形された後にメッキをかけるため、コストがかかっていた。
【０００９】
上記発明は、以上のような従来の問題を解決するためになされたものであり、その目的は、端子構造を簡略化して、コストダウンをはかると共に、信頼性の高い電気−機械振動変換器を提供することである。
【００１０】
【課題を解決するための手段】
前述した目的を達成するための本発明の手段は、下部磁気回路板であるヨークと、該ヨークに固定した磁石と、該磁石に固定した上部磁気回路板であるトッププレートとから成る磁気回路部を固定したフレームに、コイルを固定した振動板と前記コイルの端末を接続した端子とを固定した電気−機械振動変換器において、前記端子はコの字型の断面を有しており、前記端子の両脚部を前記フレームに形成したスリットに挿入して、突出した前記脚部を折り曲げたことを特徴とする。
【００１１】
また、前記端子の折り曲げた前記脚部に前記コイル端末を接合したことを特徴とする。
【００１２】
また、前記端子の前記脚部が突出する側の前記スリット間の前記フレームは中低に形成されていることを特徴とする。
【００１３】
【発明の実施の形態】
以下、本発明の実施の形態であるスピーカを図面に基づいて詳細に説明する。図１は本発明の実施の形態であるスピーカの平面図であり、図２は、同じく底面図であり、図３は図１のＡ−Ａ断面図である。図４はこのスピーカの端子を示す側面図である。
【００１４】
まず、本発明の実施の形態であるスピーカの構成を説明する。このスピーカの主要な構成は、従来技術で説明したものとほぼ同様である。従って、従来と同じ構成要素には同じ名称を用いて、詳細な説明は省略する。図１、図２において、１０は動電型スピーカであり、１は延出部１ａを有する環状のフレームであり、延出部１ａには、２対の平行なスリット１ｂが形成されている。
【００１５】
図３に示すように、上面側の各１対のスリット１ｂの間の延出部１ａは、中央が低い中低部１ｄを成している。２はヨーク、３は磁石、４はトッププレート、５は振動板、６はコイルである。７は、図４に詳細を示すように、リン青銅板から断面コの字型に成形して金メッキを施した端子である。端子７の脚７ｂはスリット１ｂに挿入されて、延出部１ａから突出した部分を内側に折り曲げて重ねてある。折り曲げた脚７ｂの部分に、コイル端末６ａを半田付けしてある。
【００１６】
端子７を簡略なコの字型の部品にしたので、バラメッキが可能となり、メッキコストを削減できた。また、成形時間の短縮もでき、組立も容易である。折り曲げた端子７にコイル端末を半田付けしたので、端子の脱落もなく信頼性が向上した。延出部１ａが中低に成形されているために、端子７の脚７ｂの折り重ねた部分が平らになり、コイル端末６ａの接合がし易くなっている。
【００１７】
【発明の効果】
以上説明したように、電気−機械振動変換器の端子をコの字型の断面を有した簡略な構造として、前記端子の両脚部をこの変換器のフレームに形成したスリットに挿入した後、突出した前記脚部を折り曲げて固定するようにしたので、端子の製造コストを削減すると共に、端子の剥離、脱落等の不具合が解消されて信頼性の高い端子構造が得られた。
【図面の簡単な説明】
【図１】本発明の実施の形態であるスピーカの平面図である。
【図２】本発明の実施の形態であるスピーカの底面図である。
【図３】図１のＡ−Ａ断面を示す断面図である。
【図４】本発明の実施の形態であるスピーカの端子を示す側面図である。
【図５】従来のスピーカの平面図である。
【図６】図５のＢ−Ｂ断面を示す断面図である。
【図７】従来の他の端子構造を示すスピーカの要部平面図である。
【図８】図７のＣ−Ｃ断面を示す要部断面図である。
【符号の説明】
１  フレーム
１ｃ  スリット
２  ヨーク
３  磁石
４  トッププレート
６  コイル
５  振動板
６ａ  コイル端末
７  端子
７ｂ  脚部
１０  スピーカ
【図１】
0003856433.tif 000002
【図２】
0003856433.tif 000003
【図３】
0003856433.tif 000004
【図４】
0003856433.tif 000005
【図５】
0003856433.tif 000006
【図６】
0003856433.tif 000007
【図７】
0003856433.tif 000008
【図８】
0003856433.tif 000009